(57)【要約】【課題】室外から入射する太陽光を効率良く室内に導くことができるとともに、採光の自由度が高い出窓採光装置を提供する。【解決手段】建物Ｔの躯体から張り出す上部６および下部７と、上部６と下部７との間に設置された窓部９および側部８と、上部６、下部７および側部８のうち少なくとも一つに形成された採光用開口部６ａと、採光用開口部６ａから入射する光を室内に向けて反射させる反射部材４と、を備えた出窓採光装置１であって、反射部材４は、開閉可能であり、閉じた状態にあるときに窓部９及び側部８のうち少なくとも１つを覆うことを特徴とする。【選択図】図２
2010121299.tif 000002
【特許請求の範囲】
【請求項１】
建物の躯体から張り出す上部および下部と、前記上部と前記下部との間に設置された窓部および側部と、前記上部、前記下部および前記側部のうち少なくとも一つに形成された採光用開口部と、前記採光用開口部から入射する光を室内に向けて反射させる反射部材と、を備えた出窓採光装置であって、
前記反射部材は、開閉可能であり、閉じた状態にあるときに前記窓部及び前記側部のうち少なくとも１つを覆うことを特徴とする出窓採光装置。
【請求項２】
前記反射部材は、ロールスクリーンを構成するスクリーンまたはブラインドを構成するスラットであることを特徴とする請求項１に記載の出窓採光装置。
【請求項３】
前記反射部材は、前記窓部および前記側部のうち少なくとも一つが通風可能になるように設置されていることを特徴とする請求項１又は請求項２に記載の出窓採光装置。
【請求項４】
前記反射部材は、網状に形成されていることを特徴とする請求項１乃至請求項３のいずれか一項に記載の出窓採光装置。
【請求項５】
前記反射部材は、複数の通風孔または通風スリットを有することを特徴とする請求項１乃至請求項４のいずれか一項に記載の出窓採光装置。
【請求項６】
前記反射部材の反射面は、拡散反射面または明色から成ることを特徴とする請求項１乃至請求項５のいずれか一項に記載の出窓採光装置。
【請求項７】
前記反射部材の反射面は、金属素材、樹脂素材、繊維素材、または前記金属素材と前記樹脂素材との複合素材から成ることを特徴とする請求項１乃至請求項６のいずれか一項に記載の出窓採光装置。
【請求項８】
前記採光用開口部に光ダクトが連結されていることを特徴とする請求項１乃至請求項７のいずれか一項に記載の出窓採光装置。
【発明の詳細な説明】
【技術分野】
【０００１】
本発明は、建物内に光を採り入れる出窓採光装置に関する。
【背景技術】
【０００２】
従来、室外に光ダクトを設置するとともに、建物の窓から離間した場所に光ダクトの放光口を設置して、室内へ太陽光を入射させる採光装置が開示されている（特許文献１参照。）。
【特許文献１】実開昭５１−１０６１３５号公報
【発明の開示】
【発明が解決しようとする課題】
【０００３】
特許文献１に記載の採光装置では、放光口が窓から離間して設置されているため、放光口から窓に入射する間に光が拡散し、窓から室内へ入射する太陽光の量が減少していた。            
また、特許文献１に記載の採光装置では、太陽光が絶えず入射してしまうので、採光の自由度が低い。
【０００４】
本発明は、かかる問題を解決するために創案されたものであり、室外から入射する太陽光を効率良く室内に導くことができるとともに、採光の自由度が高い出窓採光装置を提供することを課題とする。
【課題を解決するための手段】
【０００５】
前記課題を解決するために、本発明は、建物の躯体から張り出す上部および下部と、前記上部と前記下部との間に設置された窓部および側部と、前記上部、前記下部および前記側部のうち少なくとも一つに形成された採光用開口部と、前記採光用開口部から入射する光を室内に向けて反射させる反射部材と、を備えた出窓採光装置であって、前記反射部材は、開閉可能であり、閉じた状態にあるときに前記窓部及び前記側部のうち少なくとも１つを覆うことを特徴とする。
【０００６】
尚、採光用開口部は上部に形成され、反射部材は、その上端が上部に固定されるとともに、窓部と採光用開口部との間に配置されており、閉じた状態にあるときに窓部を覆うことが好ましい。また、採光用開口部を開閉可能に覆う蓋部を設けることが望ましい。
【０００７】
本発明によれば、出窓採光装置の上部、下部および側部のうち少なくとも一つに採光用開口部が形成されるとともに、採光用開口部から入射する光を、室内に向けて反射させる反射部材が設けられているので、採光用開口部から入射する太陽光を効率良く室内に導くことができる。
また、反射部材が開閉可能であり、閉じた状態にあるときに窓部及び側部のうち少なくとも１つを覆うことができるため、室内への採光の自由度が高まる。
【０００８】
また、前記反射部材は、ロールスクリーンを構成するスクリーンまたはブラインドを構成するスラットであることが好ましい。このようにすると、室内への太陽光の採光および遮光を行うことができるため、採光の自由度が高まる。特に、ブラインドを構成するスラットで反射部材を形成する場合には、スラットの角度を調節することにより、採光用開口部から入射する太陽光を確実に室内に導くことができるとともに、窓からの眺望性および窓の通風性を確保することができる。
【０００９】
また、前記反射部材は、前記窓部および前記側部のうち少なくとも一つが通風可能になるように設置されていることが好ましい。このようにすると、窓の通風性を確保しつつ、太陽光を効率良く室内に導くことができる。
【００１０】
また、前記反射部材は、網状に形成されていること、または複数の通風孔もしくは通風スリットを有することが好ましい。このようにすると、窓の通風性を確保しつつ、採光用開口部から入射する太陽光を効率良く室内に導くことができる。
【００１１】
また、前記反射部材の反射面は、拡散反射面または明色から成ることが好ましい。反射面を拡散反射面にすると、拡散反射面で反射した太陽光が、室内に向かって均一に広がるため、太陽光のムラをなくすことができ、室内全体を均一に明るくすることができる。また、反射部材の反射面を明色にすることにより、適度な明るさを確保しつつ、眩しさを軽減することができる。
【００１２】
また、前記反射部材の反射面は、金属素材、樹脂素材、繊維素材、または前記金属素材と前記樹脂素材との複合素材から成ることが好ましい。
【００１３】
また、前記採光用開口部に光ダクトが連結されていることが好ましい。このようにすると、建物内の暗い場所にも太陽光を導くことができ、安定した明るさを確保することが可能となる。
【発明の効果】
【００１４】
本発明に係る出窓採光装置によれば、室外から入射する太陽光を効率良く室内に導くことができるとともに、採光の自由度が高まる。
【発明を実施するための最良の形態】
【００１５】
次に、本発明の実施形態について、適宜図面を参照しながら説明する。本実施形態では、本発明を戸建て住宅の出窓に適用した場合を例にして説明する。尚、以下の記載において、戸建て住宅を、「建物Ｔ」という。
【００１６】
本実施形態に係る出窓採光装置１は、図２に示すように、出窓ユニット２と、光ダクト３と、反射部材４とから主に構成されている。
【００１７】
出窓ユニット２は、図１および図２に示すように、平面視台形状を呈し、建物Ｔの外壁面から突出して形成されている。すなわち、出窓ユニット２は、図２に示すように、建物Ｔの躯体に設けられた開口部Ｋから建物外側に突出するように設けられており、枠５と、上部６と、下部７と、一対の側部８，８と、窓部９とから主に構成されている。
尚、本実施形態では、建物Ｔの躯体とは、建物Ｔの壁体、柱、梁などである。以下、単に「躯体」という。
【００１８】
枠５は、アルミニウム合金製の押出形材から成り、建物Ｔの躯体から張り出すとともに、建物Ｔの躯体に形成された開口部Ｋを囲むようにして、躯体に固定されている。本実施形態の枠５は、一対の袖枠ユニットＵ１，Ｕ１と、正面枠ユニットＵ２とから主に構成されている。
【００１９】
袖枠ユニットＵ１は、開口部Ｋの側縁部に沿って躯体に取り付けられた縦枠５ａと、縦枠５ａから離間して設置された方立５ｂと、縦枠５ａおよび方立５ｂの上端間に架け渡された袖上枠５ｃと、縦枠５ａおよび方立５ｂの下端間に架け渡された袖下枠５ｄとから構成されており、四角枠状に組み合わされている。つまり、縦枠５ａは、袖上枠５ｃおよび袖下枠５ｄを介して、方立５ｂと連結している。縦枠５ａおよび方立５ｂは、ねじ止めなどにより機械的に袖上枠５ｃおよび袖下枠５ｄに接合されるとともに、縦枠５ａは、ねじ止めなどにより機械的に躯体に固定されている。
【００２０】
正面枠ユニットＵ２は、一対の方立５ｂ，５ｂの上端間および下端間にそれぞれ架け渡された正面上枠５ｅおよび正面下枠５ｆとから構成されており、四角枠状に組み合わされている。正面上枠５ｅおよび正面下枠５ｆは、方立５ｂ，５ｂに接合されている。尚、本実施形態では、袖枠ユニットＵ１の方立５ｂは、正面枠ユニットＵ２の縦枠として兼用されている。
【００２１】
上部６は、平面視台形状を呈し、例えば、天板や屋根カバーなどから成る。上部６は、枠５の上面に取り付けられている。すなわち、上部６は、枠５の上面を覆うように設けられていて、例えば、ねじ止めなどにより機械的に枠５に固定されている。
上部６には、上下方向に貫通する採光用開口部６ａが設けられている。採光用開口部６ａは、本実施形態では、平面視四角形状を呈している。
【００２２】
また、蓋部６ｂが採光用開口部６ａを開閉可能に覆うように設けられている。蓋部６ｂは、採光用開口部６ａに対応する形状を有し、その一端がヒンジ（図示省略）を介して採光用開口部６ａの開口縁に取り付けられている。蓋部６ｂは、閉時において図示しない保持手段を用いることにより、採光用開口部６ａを覆った状態を保持することができる。
尚、開時において蓋部６ｂを上部６に対して略平行な状態にするために、図示しないフック状部材を上部６の下面に設けるとともに、図示しない環状部材を蓋部６ｂの上面に設けて、蓋部６ｂをフック状部材に掛止してもよい。また、蓋部６ｂは、採光用開口部６ａに対して嵌脱自在に設けられても勿論差し支えない。
【００２３】
下部７は、平面視台形状を呈し、例えば、受台カバーや地板などから成る。下部７は、枠５の下面に取り付けられている。すなわち、下部７は、枠５の下面を覆うように設けられていて、例えば、ねじ止めなどにより機械的に枠５に固定されている。本実施形態の下部７は、上部６と対向して平行に設けられている。
【００２４】
側部８は、本実施形態では、窓であり、正面視略矩形状を呈し、例えば、ガラス板などから形成されている。本実施形態の側部８は、片開き窓であり、開閉可能に設けられている。側部８は、枠５の側面に取り付けられている。すなわち、側部８は、上部６と下部７との間に設置されるとともに、窓部９の両側に配置されており、躯体の開口部Ｋを挟んでハ字状に対向している。また、側部８は、採光用開口部６ａの側方に位置している。
【００２５】
窓部９は、正面視略矩形状を呈し、例えば、ガラス板などから形成されている。本実施形態の窓部９は、引き違い窓であり、開閉可能に設けられている。窓部９は、枠５の正面に取り付けられている。すなわち、窓部９は、上部６と下部７との間に設置されるとともに、一対の側部８，８間に配置されており、躯体の開口部Ｋに対して平行に設置されている。また、窓部９は、採光用開口部６ａの前方に位置している。
【００２６】
光ダクト３は、太陽光を建物Ｔ内に導く役割を果している。光ダクト３は、図１に示すように、建物Ｔの高さ方向に沿って、外壁に取り付けられている。光ダクト３は、固定部材Ｒを介して、建物Ｔの外壁に固定されている。光ダクト３の内面には、反射面が設けられている。反射面は、例えば、金属素材、樹脂素材、または金属素材と樹脂素材との複合素材などから形成されており、特に、軽量化や耐食性という観点からアルミニウム合金を用いるのが好ましい。
【００２７】
また、光ダクト３は、採光口３ａおよび放光口３ｂを備えている。すなわち、光ダクト３の採光口３ａ（一端）は、建物外の場所に開口しており、放光口３ｂ（他端）は、上部６に設けられた採光用開口部６ａに連通している。図示は省略するが、光ダクト３の採光口３ａおよび放光口３ｂは、透光性素材からなる透光カバーで覆われる。光ダクト３は、例えば、ねじ止めなどの機械的接合もしくは接着剤などの手段により出窓ユニット２に取り付けられている。
かかる構成により、光ダクト３の採光口３ａに入射した太陽光は、反射を繰り返しながら光ダクト３内を進み、放光口３ｂを通じて出窓ユニット２内へ放光され、建物Ｔ内へ入射する。
【００２８】
反射部材４は、光ダクト３から出窓ユニット２内に入射する太陽光を建物Ｔの室内側に向けて反射させる役割を果たす。
本実施形態の反射部材４は、図２に示すように、ロールスクリーンを構成するスクリーン４４の片面（室内側の面）に反射面を設けたものである。反射部材４は、採光用開口部６ａより室外側（前方側）に配置されるとともに、窓部９より室内側（後方側）に配置されている。すなわち、反射部材４は、採光用開口部６ａと窓部９との間に位置している。また、反射部材４は、開閉可能であり、閉じた状態のときに窓部９を覆っている。
尚、本実施形態において、開閉可能とは、巻き取り及び引き出し可能なことをいう。
【００２９】
本実施形態のロールスクリーンは、フレーム４１と、一対の支持ブラケット４２，４２と、巻取軸４３と、スクリーン４４と、ウェイトバー４５とから主に構成されている。
【００３０】
フレーム４１は、取付ブラケット（図示省略）を介して、上部６の下面に固定されている。また、支持ブラケット４２は、フレーム４１の両端に取り付けられ、その支持ブラケット４２間に巻取軸４３が回転可能に支持されている。
また、巻取軸４３の一端には、プーリー（図示省略）が取り付けられ、そのプーリーに無端状の操作チェーン（図示省略）が掛装されている。
【００３１】
スクリーン４４は、巻取軸４３に吊下げ支持されている。スクリーン４４の片面（室内側の面）には、反射面が設けられている。反射面は、例えば、アルミニウムや銀などの金属を蒸着したものや、プラスチックやポリエステルフィルムなどの樹脂素材に金属を蒸着したものや、反射面（層）に白色調の塗膜を形成したものなどからなる。
また、本実施形態の反射面は、光を拡散反射するように形成されている。すなわち、本実施形態の反射面は、微細な凹凸が形成されている拡散反射面から成る。
【００３２】
ウェイトバー４５は、スクリーン４４の下端に取り付けられている。
【００３３】
次に、反射部材４の巻き取り及び引き出し動作（開閉動作）について、図２および図３を参照して説明する。
反射部材４（スクリーン４４）が下部７の近傍まで引き出された状態（図２参照）から操作チェーンを操作して巻取軸４３をスクリーン巻き取り方向に回転させると、巻取軸４３に反射部材４が巻き取られ、反射部材４およびウェイトバー４５が上昇する（図３（ａ）参照）。
さらに、操作チェーンを操作して巻取軸４３をスクリーン巻き取り方向に回転させると、反射部材４は、巻取軸４３に完全に巻き取られる（図３（ｂ）参照）。
【００３４】
一方、反射部材４を巻取軸４３に巻き取った状態（図３（ｂ）参照）から、巻取軸４３をスクリーン引き出し方向に回転させると、巻取軸４３から反射部材４が引き出されて、反射部材４およびウェイトバー４５が下降する（図３（ａ）参照）。
さらに、操作チェーンを操作して巻取軸４３をスクリーン引き出し方向に回転させると、反射部材４は、下部７の近傍まで引き出される（図２参照）。
このように、本実施形態の反射部材４は、巻き取り及び引き出し可能に設けられているため、採光用開口部６ａからの太陽光の反射を行うことができる。
【００３５】
以上説明した本実施形態に係る出窓採光装置１によれば、採光用開口部６ａから入射する太陽光を室内に向けて反射させる反射部材４が設けられているので、太陽光を効率良く室内に導くことができる。
また、蓋部６ｂが採光用開口部６ａを開閉可能に覆うことができるとともに、反射部材４が巻き取り及び引き出し可能に設けられているので、採光の自由度が高まる。
尚、直射日光が窓部９に当たる状況において、太陽光を室内に採り入れたいときには、反射部材４を巻き取って窓部９を覆わず、窓部９に当たる太陽光をそのまま室内に入射させることができる。また、太陽光を室内に採り入れたくないときには、採光用開口部６ａを蓋部６ｂで覆うとともに、反射部材４を引き出して窓部９を覆うことにより、採光用開口部６ａから放光される太陽光を遮断するとともに、窓部９に当たる太陽光を遮蔽することができる。
【００３６】
一方、直射日光が窓部９に当たらない状況において、太陽光を室内に採り入れたいときには、蓋部６ｂで採光用開口部６ａを覆わず、反射部材４を引き出して窓部９を覆えばよい。すなわち、蓋部６ｂで採光用開口部６ａを覆わず、反射部材４を引き出して窓部９を覆うことにより、採光用開口部６ａから窓部９に向かって放光された太陽光を室内に向けて反射させることができる。太陽光を室内に採り入れたくないときには、蓋部６ｂで採光用開口部６ａを覆うとともに、反射部材４を引き出して窓部９を覆えばよい。すなわち、採光用開口部６ａを蓋部６ｂで覆うとともに、反射部材４を引き出して窓部９を覆うことにより、採光用開口部６ａから放光される太陽光を遮断するとともに、窓部９から入射する太陽光（拡散光）を遮蔽することができる。
【００３７】
また、直射日光が窓部９に当たらない状況において、太陽光を室内に採り入れる場合には、採光量を調節することが可能である。すなわち、採光用開口部６ａ及び窓部９を覆わないようにすると、採光用開口部６ａを覆わず、且つ窓部９を覆った場合に比べて室内に入る太陽光の量を少なくすることができる。また、採光用開口部６ａを覆い、且つ窓部９を覆わないようにすると、採光用開口部６ａ及び窓部９を覆わないようにした場合に比べて室内に入る太陽光の量を少なくすることができる。
【００３８】
さらに、反射部材４を巻き取ることにより、窓部９からの眺望性や窓部９の通風性も確保することができる。例えば、直射日光が窓部９に当たらない状況において、太陽光を室内に採り入れたいときには、反射部材４を窓部９の上下方向の中央に位置させると、窓部９からの眺望性や窓部９の通風性も確保しつつ、採光用開口部６ａから入射する太陽光を効率良く室内に導くことができる（図３（ａ）参照）。
【００３９】
また、反射部材４は、側部８が通風可能になるように設置されているので、側部８の通風性を確保しつつ、採光用開口部６ａから入射する太陽光を効率良く室内に導くことができる。
【００４０】
また、反射部材４の反射面は、拡散反射面から成るので、拡散反射面で反射した太陽光が、室内に向かって均一に広がるため、太陽光のムラをおさえることができる。
【００４１】
また、反射部材４の反射面は、金属素材、樹脂素材、繊維素材、または金属素材と樹脂素材との複合素材のうち特に反射率の高い素材で構成することで、採光用開口部６ａから採り入れた太陽光を大幅に減衰させることなく、室内まで導くことができる。
【００４２】
また、採光用開口部６ａに光ダクト３が連結されているので、建物Ｔの日の当たらない暗い場所にも太陽光を導くことができ、安定した明るさを確保することができる。
【００４３】
また、光ダクト３は、建物Ｔの外壁に取り付けられており、既設建物にも容易に設置することができる。すなわち、光ダクト３は、建物Ｔの外壁に取り付け可能であるので、既設建物にも設置することが可能となる。
【００４４】
以上、本発明の実施形態について説明したが、本発明の趣旨を逸脱しない範囲で適宜変更して実施できるのはいうまでもない。本実施形態では、本発明を戸建て住宅に用いたが、例えば、マンションやアパートなどに用いても構わない。
【００４５】
また、本実施形態では、本発明を平面視台形状の出窓ユニット２に用いたが、例えば、平面視三角形状、平面視四角形状、平面視多角形状（ベイウィンドウ）、平面視弓形状（ボウウィンドウ）などの出窓ユニット２に用いても構わない。
【００４６】
また、本実施形態の枠５は、アルミニウム合金から形成されているが、これに限定されることなく、適宜変更してもよい。例えば、ステンレス鋼など、アルミニウム合金以外の金属材で枠５を形成してもよいし、合成樹脂や木材などのようなアルミニウム合金に比べて断熱効果の高い部材で枠５を形成しても構わない。
【００４７】
また、上部６の採光用開口部６ａの形状および数は、適宜変更してもよい。例えば、平面視円形状の採光用開口部６ａを２つ設けても構わない。
【００４８】
また、本実施形態では、採光用開口部６ａを上部６の長手方向の略中央に設置したが、これに限定されることなく、側部８，８のどちらか一方の近傍に設置してもよい。
【００４９】
また、本実施形態では、上部６の一部に採光用開口部６ａを設けたが、上部６全体を開口してもよい。例えば、出窓ユニット２の上面に天板などを設置せずに開放して、その開口面に適合するように放光口３ｂを設置してもよい。このようにすると、建物Ｔ内へ太陽光をより多く採り入れることができる。
【００５０】
また、下部７に採光用開口部を設けてもよいし、側部８に採光用開口部を設けても構わない。また、上部６、下部７、側部８への採光用開口部の設置を組み合わせてもよい。例えば、上部６と下部７の両方に採光用開口部を設けてもよいし、上部６、下部７、側部８の全てに採光用開口部を設けても構わない。また、側部８，８の両方に採光用開口部を設けてもよいし、どちらか一方に採光用開口部を設けても構わない。
また、採光用開口部６ａを開閉可能に覆う蓋部６ｂを設けなくてもよい。この場合には、直射日光が窓部９に当たらない状況において、出窓採光装置１を用いることが望ましい。尚、太陽光を室内に採り入れたいときには、反射部材４を引き出して窓部９を覆い、太陽光を室内にあまり採り入れたくないときには、反射部材４を巻き取って窓部９を覆わなければよい。すなわち、反射部材４を巻き出して窓部９を覆うことにより、採光用開口部６ａから窓部９に向かって放光された太陽光を室内に向けて反射させることができる。一方、反射部材４を巻き取って窓部９を覆わないことにより、室内に入る太陽光の量を少なくすることができる。
【００５１】
また、本実施形態の側部８，８は、窓であるが、壁にしてもよい。また、側部８のうちいずれか一方を窓にして、側部８のうちいずれか他方を壁にしてもよい。
【００５２】
また、本実施形態では、側部８，８は、片開き窓であり、窓部９は、引き違い窓であるが、これに限定されることなく、公知の窓形式を適宜選択して用いることができる。例えば、引き違い窓、開き窓、上げ下げ窓（縦辷り出し窓）、ＦＩＸ窓（嵌め殺し窓）などの中から適宜選択して、全ての側部８および窓部９を同一の窓形式にしてもよいし、異なる窓形式を組み合わせても構わない。また、一対の側部８，８をそれぞれ異なる窓形式にしても構わない。例えば、一方の側部８を開き窓として、他方の側部８を上げ下げ窓などにしても構わない。また、側部８および窓部９に、障子、網戸、面格子、装飾格子などを設けても構わない。
【００５３】
また、光ダクト３の採光口３ａまたは放光口３ｂと透光カバーとの間にシール材を介設してもよいし、光ダクト３の放光口３ｂ側の透光カバーと出窓ユニット２との間にシール材を介設してもよい。
【００５４】
また、光ダクト３は、ハニカムパネルで構成されてもよい。このようにすると、光ダクト３の軽量化を図ることが可能になるので、取扱いが容易となり、出窓採光装置１の設置時の作業効率が向上する。また、既設建物の耐荷重にも幅広く適合しやすくなるため、既設建物への設置の自由度が高まる。
【００５５】
また、光ダクト３は、断熱パネルで構成されてもよい。このようにすると、光ダクト３の反射面での結露を防止することが可能になり、採光効率の低下を抑制することができる。
【００５６】
また、図示は省略するが、光ダクト３の採光口３ａに太陽追尾装置を設けてもよいし、光ダクト３を建物Ｔの内部に取り付けても構わない。
【００５７】
また、本実施形態では、建物Ｔに出窓ユニット２が１つ設置されている場合について述べたが、出窓ユニット２が複数ある場合には、出窓ユニット２ごとに光ダクト３を設置してもよいし、１つの光ダクト３の端部を分岐させて、複数の放光口３ｂを形成し、複数の出窓ユニット２の採光用開口部に連通しても構わない。このようにすると、光ダクト３の数を減らすことができるため、光ダクト３の施工コストおよび施工手間を低減することができる。
【００５８】
また、本実施形態では、光ダクト３を設置したが、これに限定されることなく光ダクト３を設置しなくてもよい。
【００５９】
また、本実施形態では、チェーン式のロールスクリーンを用いたが、これに限定されることなく、公知のロールスクリーンを適宜選択して用いることができる。例えば、スプリング式のロールスクリーンを用いてもよいし、電動式ロールスクリーンを用いても構わない。
【００６０】
また、反射部材４の設置場所を適宜変更してもよい。本実施形態では、窓部９を覆うことができるようにロールスクリーンを設置したが、例えば、側部８を覆うことができるようにロールスクリーンを設置してもよい。
【００６１】
また、本実施形態では、反射面を微細な凹凸が形成されている拡散反射面にしたが、これに限定されることなく、例えば、平滑な反射面にしてもよい。また、反射面を明色にしてもよい。このようにすると、適度な明るさを確保しつつ、眩しさを軽減することができる。尚、反射部材４に絵や図柄などを描いてもよい。このようにすると、意匠的に好適である。
【００６２】
また、図４（ａ）に示すように、反射部材４にその厚さ方向に貫通する複数の円形状の通風孔４４ａ，４４ａ・・・を形成してもよい。このようにすると、窓部９の通風性を確保しつつ、採光用開口部６ａから入射する太陽光を効率良く室内に導くことができる。尚、通風孔４４ａの形状、大きさ、数は、これに限定されることなく、適宜変更してもよい。
【００６３】
また、図４（ｂ）に示すように、反射部材４にその厚さ方向に貫通する複数の矩形状の通風スリット４４ｂ，４４ｂ・・・を形成してもよい。このようにすると、窓部９の通風性を確保しつつ、採光用開口部６ａから入射する太陽光を効率良く室内に導くことができる。尚、通風スリット４４ｂの形状、大きさ、数は、これに限定されることなく、適宜変更してもよい。
【００６４】
また、図５（ａ）に示すように、反射部材４の形状を網状に形成してもよい。このようにすると、窓部９の通風性を確保しつつ、採光用開口部６ａから入射する太陽光を効率良く室内に導くことができる。
【００６５】
また、図５（ｂ）に示すように、出窓ユニット２の開口面にステンドグラス１２を設置してもよい。このようにすると、建物Ｔの室内に光の演出をすることができるため、意匠的に好適である。尚、ステンドグラス１２に替えて、影絵や透かし絵などを設置してもよい。このようにしても、建物Ｔの室内に光の演出をすることができるため、意匠的に好適である。
【００６６】
また、本実施形態では、反射部材４（スクリーン４４）を上下方向に巻き取り及び引き出し自在に設置したが、これに限定されることなく、図６に示すように、反射部材４を横方向に巻き取り及び引き出し自在に設置してもよい。尚、反射部材４は、支持ブラケット４２，４２を上部６の下面および下部７の上面に固定することにより、出窓ユニット２に取り付けられている。
このようにしても、本実施形態と同様に採光の自由度が高まる。
また、反射部材４を巻取軸４３に巻き取ることにより、窓部９からの眺望性や窓部９の通風性も確保することができる。例えば、直射日光が窓部９に当たらない状況において、太陽光を室内に採り入れたいときには、反射部材４を窓部９の横方向の中央に位置させると、窓部９からの眺望性や窓部９の通風性も確保しつつ、採光用開口部６ａから入射する太陽光を効率良く室内に導くことができる（図６参照）。
【００６７】
また、本実施形態では、ロールスクリーンを用いたが、これに代えてブラインドを用いてもよい。すなわち、本実施形態の反射部材４は、スクリーン４４の片面に反射面を設けたものであるが、図７に示すように、ブラインドを構成するスラット４ａの片面に反射面を設けたものを用いてもよい。尚、ブラインドは、公知のブラインドの中から適宜選択して用いることができる。
このようにすると、昇降コード（図示省略）を操作して、反射部材４を昇降させることができるため、本実施形態と同様に採光の自由度が高まる。
尚、直射日光が窓部９に当たる状況において、太陽光を室内に採り入れたいときには、反射部材４を巻き取って窓部９を覆わず、窓部９に当たる太陽光をそのまま室内に入射させることができる。また、太陽光を室内に採り入れたくないときには、採光用開口部６ａを蓋部６ｂで覆うとともに、反射部材４を引き出して窓部９を覆うことにより、採光用開口部６ａから放光される太陽光を遮断するとともに、窓部９に当たる太陽光を遮蔽することができる。
【００６８】
一方、直射日光が窓部９に当たらない状況において、太陽光を室内に採り入れたいときには、蓋部６ｂで採光用開口部６ａを覆わず、反射部材４を引き出して窓部９を覆えばよい。すなわち、蓋部６ｂで採光用開口部６ａを覆わず、反射部材４を引き出して窓部９を覆うことにより、採光用開口部６ａから窓部９に向かって放光された太陽光を室内に向けて反射させることができる。太陽光を室内に採り入れたくないときには、蓋部６ｂで採光用開口部６ａを覆うとともに、反射部材４を引き出して窓部９を覆えばよい。すなわち、採光用開口部６ａを蓋部６ｂで覆うとともに、反射部材４を引き出して窓部９を覆うことにより、採光用開口部６ａから放光される太陽光を遮断するとともに、窓部９から入射する太陽光（拡散光）を遮蔽することができる。
【００６９】
また、直射日光が窓部９に当たらない状況において、太陽光を室内に採り入れる場合には、採光量を調節することが可能である。すなわち、採光用開口部６ａ及び窓部９を覆わないようにすると、採光用開口部６ａを覆わず、且つ窓部９を覆った場合に比べて室内に入る太陽光の量を少なくすることができる。また、採光用開口部６ａを覆い、且つ窓部９を覆わないようにすると、採光用開口部６ａ及び窓部９を覆わないようにした場合に比べて室内に入る太陽光の量を少なくすることができる。
【００７０】
また、反射部材４を上昇させることにより、窓部９からの眺望性や窓部９の通風性も確保することができる。例えば、直射日光が窓部９に当たらない状況において、太陽光を室内に採り入れたいときには、反射部材４を窓部９の上下方向の中央に位置させると、窓部９からの眺望性や窓部９の通風性も確保しつつ、採光用開口部６ａから入射する太陽光を効率良く室内に導くことができる。
さらに、スラット４ａに反射面を設けて反射部材４を形成すると、操作棒４ｂにより、複数のスラット４ａ，４ａ・・・の角度を調節することができるため、採光用開口部６ａから入射する太陽光を確実に室内に導くことができる。また、スラット４ａの角度を調節してスラット４ａ間に隙間を形成することにより、反射部材４を下部７の近傍まで下降させた状態のまま窓部９からの眺望性および窓部９の通風性を確保することができる。
【図面の簡単な説明】
【００７１】
【図１】本実施形態に係る出窓採光装置の設置状態を示す全体斜視図である。
【図２】本実施形態に係る出窓採光装置の構成を示す斜視図である。
【図３】（ａ）は、反射部材を窓部の中央に位置させたときの出窓採光装置の状態を示す斜視図であり、（ｂ）は、反射部材を完全に巻き取ったときの出窓採光装置の状態を示す斜視図である。
【図４】（ａ）は、変形例に係る出窓採光装置の構成を示す斜視図であり、（ｂ）は、変形例に係る出窓採光装置の構成を示す斜視図である。
【図５】（ａ）は、変形例に係る出窓採光装置の構成を示す斜視図であり、（ｂ）は、変形例に係る出窓採光装置の構成を示す斜視図である。
【図６】変形例に係る出窓採光装置の構成を示す斜視図である。
【図７】変形例に係る出窓採光装置の構成を示す斜視図である。
【符号の説明】
【００７２】
１      出窓採光装置
２      出窓ユニット
３      光ダクト
３ａ    採光口
３ｂ    放光口
４      反射部材
４４    スクリーン
４４ａ  通風孔
４４ｂ  通風スリット
５      枠
６      上部
６ａ    採光用開口部
６ｂ    蓋部
７      下部
８      側部
９      窓部
Ｋ      開口部
Ｒ      固定部材
Ｔ      建物
Ｕ１    袖枠ユニット
Ｕ２    正面枠ユニット
【図１】
2010121299.tif 000003
【図２】
2010121299.tif 000004
【図３】
2010121299.tif 000005
【図４】
2010121299.tif 000006
【図５】
2010121299.tif 000007
【図６】
2010121299.tif 000008
【図７】
2010121299.tif 000009